(57)【特許請求の範囲】
【請求項１】
１次止水ガスケット（７０）が、柱状部（７１）の両側に外壁パネル（３０，３０）の端面と弾接させる複数段の１次止水リップ（７２，７２）を突設し、柱状部（７１）の基端に基底部（７３）を結合してなり、フレーム（２０）の中央取付け部（２２）が，フレーム（２０）の外壁パネル（３０，３０）に平行な平行部分（２１）に，中央に外側に向かって突設した突設部分を含めて断面略Ｔ字状を形成する当接部分（２４）を設け，該当接部分（２４）を外壁パネル（３０，３０）の内面に当接させてなり，その当接部分（２４）の外面に、前記１次止水ガスケット（７０）の基底部（７３）を嵌着するリテーナー（２５）を一体に結合すると共に、該リテーナー（２５）は外壁パネル（３０，３０）の取付け時の位置決めをするガイド機能を備え、
さらに各２次止水ガスケット（８０）が，断面Ｕ字状のウエルト部（８１）にスポンジ状の中空状のシール部（８２）を一体に結合してなり、
フレーム（２０）の両側取付け部（２３，２３）が，平行部分（２１）に垂設した垂直部分（２６，２６）の先端に，それぞれ２次止水兼耐火性ガスケット（８０，８０）のＵ字状ウエルト部（８１，８１）を嵌着し，この中空状のシール部（８２）を外壁パネル（３０，３０）の内面に当接させてなる外壁目地構造。
【発明の詳細な説明】
【０００１】
【産業上の利用分野】
本発明は、建物の表面に張った外壁パネルの目地に取付け、浸水を防止する外壁目地ガスケットに関するものである。
【０００２】
【従来の技術】
従来、建物の表面に張った外壁パネルの目地に取付け、浸水を防止する外壁目地構造として、図１及び図２に示すように構成されたものが使用されている。
【０００３】
図１において、外壁パネル３０，３０は、建物の機材１０の外面に２次止水用防水シート９０を挟んでフレーム２０，２０を取付け、それぞれそのフレーム２０，２０の外面に外壁パネル３０，３０を取付け、さらにその外壁パネル３０，３０間に形成された目地４０には次のように構成される後付けタイプのガスケット５０を詰めてある。すなわち、５１は柱状部、５２は外壁パネル３０，３０の端面と弾接させる１次止水リップであって、前記柱状部５１の両側に複数段突設してある。
【０００４】
図２において、外壁パネル３０，３０は、フレームを介さず機材１０に取付けてあり、外壁パネル３０，３０間に形成された目地４０に次のように構成されるガスケット６０（外壁パネル３０，３０取付前に、取付ける先付タイプである）を詰めてある。すなわち、６１は柱状部、６２は外壁パネル３０，３０の端面と弾接させる１次止水リップであって、前記柱状部６１の両側に複数段突設してある。また、６５は機材１０と外壁パネル３０，３０内面との間に挟む平板部であって、前記柱状部６１にＴ字状に一体に結合してある。６６は外壁パネル３０，３０と弾接させる２次止水リップであって、平板部６６の外面に複数段突設し、ジョイナータイプにしてある。
【０００５】
しかしながら、上記従来の外壁目地構造は、いずれも目地４０への施工バラツキがあること、また年月の経過に伴って収縮するため、隙間が生じ、水密性が低下したり、最悪の場合脱落したりすることがある他、耐火性が低いと言う問題点がある。
【０００６】
【発明が解決しようとする課題】
解決しようとする問題点は、上記従来の外壁目地構造は、いずれも水密性が低下したり、最悪の場合脱落したりすることがある他、耐火性が低いことであって、本発明は、その問題点を解決し、水密性・耐火性に優れた外壁目地構造を提供するものである。
【０００７】
【課題を解決するための手段】
本発明を、図３・図４を参考にして説明する。この外壁目地構造は、１次止水ガスケット７０が、柱状部７１の両側に外壁パネル３０，３０の端面と弾接させる複数段の１次止水リップ７２，７２を突設し，柱状部７１の基端に基底部７３を結合してなり、フレーム２０の中央取付け部２２が，フレーム２０の外壁パネル３０，３０に平行な平行部分２１に，中央に外側に向かって突設した突設部分を含めて断面略Ｔ字状を形成する当接部分２４を設け，該当接部分２４を外壁パネル３０，３０の内面に当接させてなり，その当接部分２４の外面に，前記１次止水ガスケット７０の基底部７３を嵌着するリテーナー２５を一体に結合すると共に，当該リテーナー２５は外壁パネル３０，３０の取付け時の位置決めをするガイド機能を備え、さらに各２次止水ガスケット８０が、断面Ｕ字状のウエルト部８１にスポンジ状の中空状のシール部８２を一体に結合してなり、フレーム（２０）の両側取付け部２３，２３が，平行部分２１に垂設した垂直部分２６，２６の先端に，それぞれ２次止水兼耐火性ガスケット８０，８０のＵ字状ウエルト部８１，８１を嵌着し，この中空状のシール部８２を外壁パネル３０，３０の内面に当接させてなるものである。
【０００８】
【実施例】
本発明の外壁目地構造の実施例について図３及び図４により説明すると、２０はアルミよりなるフレーム、３０，３０はそのフレーム２０の外面に張った外壁パネル、７０はその外壁パネル３０，３０間に形成された目地４０をシールするゴム様弾性体よりなる１次止水ガスケットであって、クロロスルフォン化ポリエチレン・塩素化ポリエチレン・シリコーン被膜材とエチレンプロピレン共重合体等の合成ゴムを共押出品であり、前記フレーム２０の外壁パネル３０，３０に平行な平行部分２１の中央に外側に向って突設した中央取付け部２２に取付けてある。
【０００９】
８０はフレーム２０と外壁パネル３０，３０内面との間をシールする、同じくゴム様弾性体よりなる一対の２次止水兼耐火性ガスケットであって、１次止水ガスケット７０とは別体になっていて、エチレンプロピレン共重合体及びクロロプレンゴム等のスポンジ及びソリッドの共押品、またはクロロプレンゴム等の合成ゴムソリッド単体押出品であり、フレーム２０の平行部分２１の両端に垂設した両側取付け部２３に取付けてある。
【００１０】
本発明の外壁目地構造の実施例をさらに説明すると、１次止水ガスケット７０は、柱状部７１の両側に外壁パネル３０，３０の端面と弾接させる複数段の１次止水リップ７２，７２を突設し、柱状部７１の基端に基底部７３を結合してあり、各２次止水ガスケット８０は、断面Ｕ字状のウエルト部８１の先端にスボンジ状の中空状のシール部８２を一体に結合してある。
【００１１】
また、さらにフレーム２０の中央取付け部２２は、平行部分２１に外壁パネル３０，３０の内面に当接させる断面Ｔ次状の当接部分２４を突設し、その当接部分２４の外面に、前記１次止水ガスケット７０の基底部７３を嵌着する鈎状リテーナー２５を一体に結合してあり、フレーム２０の両側取付け部２３，２３が、平行部分２１に垂設した垂直部分２６，２６の先端に、それぞれ２次止水兼耐火性ガスケット８０，８０のＵ字状ウエルト部８１，８１を嵌着してある。そして図３のものにおいては、垂直部分２６，２６の先端に、Ｕ字状ウエルト部８１，８１を嵌着する膨大部２７，２７を結合してある。
【００１２】
【作用】
先ず、１次止水ガスケット７０をフレーム２０の中央取付け部２１のリテーナー２５に取付けてあるため、中央取付け部２１を１次止水ガスケット７０への挿入の位置決めをするガイドとして、特にリテーナー２５の幅を目地４０の幅に等しくすることによって、より精度の高いガイドとして機能させることが出来、施工のバラツキが著しく少なくすることが出来ると共に、１次止水ガスケット７０の脱落を防止することが出来る。また、施工のバラツキが少なくなったため、１次止水リップ７２，７２と外壁パネル３０，３０との水密性が高まる。
【００１３】
耐火性については、外壁パネル３０及び外壁パネル３０と当接させるフレーム２０が侵入する炎の１次バリアーとして機能するが、さらに、２次止水がガスケット８０の材質を耐火性の強い材質例えば、クロロプレン等にしてあるので、２次止水兼耐火性ガスケット８０が目地４０の奥部を囲み、炎の建物内への侵入を防止する２次バリアーとして機能するため、耐火性が著しく高くなる。
【００１４】
【発明の効果】
本発明は以上のように構成されるため、施工のバラツキが著しく少なく、極めて水密性に優れ、しかも、脱落することがなく、耐火性に優れている。
【図面の簡単な説明】
【図１】第１の従来例を示す断面図である。
【図２】第２の従来例を示す断面図である。
【図３】本発明の実施例を示す断面図である。
【図４】本発明の他の実施例を示す断面図である。
【符号の説明】
１０    機材
２０    フレーム
２１    平行部分
２２    中央取付け部
２３    両側取付け部
２４    当接部分
２５    リテーナー
２６    垂直部分
２７    膨大部
３０    外壁パネル
４０    目地
５０    ガスケット
５１    柱状部
５２    １次止水リップ
６０    １次止水ガスケット
６１    柱状部
６２    １次止水リップ
６５    平板部
６６    ２次止水リップ
７０    １次止水ガスケット
７１    柱状部
７２    １次止水リップ
７３    基底部
８０    ２次止水兼耐火性ガスケット
８１    ウエルト部
８２    シール部
９０    防水シート
【図１】
0003616931.tif 000002
【図２】
0003616931.tif 000003
【図３】
0003616931.tif 000004
【図４】
0003616931.tif 000005